(57)【要約】　　　（修正有）【課題】製造コストの低下を達成でき、また蓋が開け易いプラスチック容器の蓋構造を提供する。【解決手段】主に本体の一端には盗難防止リング１５を形成し、該盗難防止リングの内壁面には複数の湾折部２２を具えたストッパー２１を設置する。ストッパー間は連接橋で連結される。該ストッパーは湾折状の構造を具えるため構造強度を高めることができ、よって各ストッパーを薄く製造可能である。【選択図】　　図２
0003100342.tif 000002
【実用新案登録請求の範囲】
【請求項１】
主に本体を含み、
該本体の一端には封鎖面を具え、内周面には盗難防止リングを形成し、該本体の該封鎖面から離れた一端に設置し、
切断間隙は連続状構造で、該本体と該盗難防止リング間に形成し、
複数の連接柱は該本体と該盗難防止リングの内壁面に設置し、かつ該連接柱の両端はそれぞれ該本体及び該盗難防止リングと連結し、
複数のストッパーは該盗難防止リングの内周面に形成し、上向きに該封鎖面に向かい湾折させ、表面の中ほどに湾折部を具えることを特徴とする、
プラスチック容器の蓋構造。
【請求項２】
　前記ストッパーの湾折部はすべて前記盗難防止リング中心に向かい突出していることを特徴とする、
請求項１記載のプラスチック容器の蓋構造。
【請求項３】
　前記ストッパーの湾折部はすべて前記盗難防止リング内壁面に向かっていることを特徴とする、
請求項１記載のプラスチック容器の蓋構造。
【考案の詳細な説明】
【技術分野】
【０００１】
　本考案は一種のプラスチック容器の蓋構造に関する。
【背景技術】
【０００２】
　公知のプラスチック容器蓋構造にはボトル口を封鎖し、盗難を防止し、また不正に開けられることを防止する機能を有する。該ストッパーとボトル口外周のフランジが接触する時にも容易に開かないよう、該ストッパーは適当な強度が必要であるため一定の厚みがあることが求められる。即ち、ストッパーの厚みが厚ければ、材料と製造コストも当然高騰する。
【考案の開示】
【考案が解決しようとする課題】
【０００３】
　前記した従来のプラスチック容器の蓋構造にあっては、次のような問題点がある。
　すなわち、ストッパーの厚みが厚いため、材料と製造コストが高騰する。
【課題を解決するための手段】
【０００４】
上記のような課題を解決するために、本考案のプラスチック容器の蓋構造は、主に本体を含み、該本体の一端には封鎖面を具え、内周面には盗難防止リングを形成し、該本体の該封鎖面から離れた一端に設置し、切断間隙は連続状構造で、該本体と該盗難防止リング間に形成し、複数の連接柱は該本体と該盗難防止リングの内壁面に設置し、かつ該連接柱の両端はそれぞれ該本体及び該盗難防止リングと連結し、複数のストッパーは該盗難防止リングの内周面に形成し、上向きに該封鎖面に向かい湾折させ、表面の中ほどに湾折部を具えることを特徴とするプラスチック容器の蓋構造である。
【０００５】
　また、前記ストッパーの湾折部はすべて前記盗難防止リング中心に向かい突出していることを特徴とするプラスチック容器の蓋構造を使用できる。
【０００６】
　さらに、前記ストッパーの湾折部はすべて前記盗難防止リング内壁面に向かっていることを特徴とするプラスチック容器の蓋構造を使用できる。
【０００７】
主に本体の一端には盗難防止リングを形成し、該盗難防止リングの内壁面には複数の湾折部を具えたストッパーを設置する。該ストッパー間は連接橋で連結される。該ストッパーは湾折状の構造を具えるため構造強度を高めることができ、よって各ストッパーを薄く製造可能である。即ち、製造コストの低下を達成し、また蓋を開け易いという利点も有する。
【考案の効果】
【０００８】
　本考案のプラスチック容器の蓋構造は、上記した課題を解決するための手段により、次のような効果の少なくとも一つを得ることができる。
＜１＞本考案は盗難防止リング内壁面に設置するストッパーが湾折部を具えるため、公知構造の平板構造とは異なる。さらに、該ストッパーは湾折部を具えるため、構造強度を高めることができる。即ち、本考案のストッパーは高い構造強度を具えるため、公知構造のストッパーに比較し非常に薄い。よって、製作において材料の使用量を減らすことができ、製造コストを低下させることができる。
＜２＞盗難防止リングとボトルの結合強度においても、本考案の設計は公知構造の組合せ強度に比較し明らかに高い。
【考案を実施するための最良の形態】
【０００９】
　以下、図面を参照しながら本考案の実施の形態について説明する。
【００１０】
図１が示すように、本考案はボトル１１のボトル口１２を封鎖する容器蓋１３である。該容器蓋１３は本体１４と該本体１４一端に接続する盗難防止リング１５を含む。
次に図１、２が示すように、該本体１４一端には封鎖面１６を具え、該本体１４内周面にはネジ刻み１７を形成する。該ネジ刻み１７は該ボトル口１２外表面に突設するネジ刻み１８と螺接する。
【００１１】
続いて図２、３、４、５が示すように、該本体１４上の該封鎖面１６から離れた一端は該盗難防止リング１５と結合する。さらに、該本体１４と該盗難防止リング１５間には連続性のある切断間隙２３を形成する。該本体１４と該盗難防止リング１５の内面上には複数の連接柱２４を設置し、該連接柱２４の両端はそれぞれが本体１４及び該盗難防止リング１５と結合する。該盗難防止リング１５の内周面１９には一個以上の該封鎖面１６に向って湾曲するストッパー２１を形成し、該ストッパー２１の中ほどには湾折部２２を具える。該ストッパー２１上の湾折部２２はすべて該盗難防止リング１５中心に向かい突出している。
該ストッパー２１端部にはすべて連接橋２６を設置し、各連接橋２６はそれぞれ左右両側に位置するストッパー２１に連結するため、各ストッパー２１間は分離状態を形成する。
【００１２】
該ストッパー２１上には湾折部２２を具えるため、該ストッパー２１の断面は、くの字状を呈する。これにより、該ストッパー２１の横側上において、該湾折部２２の湾折構造は力を受けると適度に力を分散するため、比較的大きな応力変化に耐えることができる。縦側（即ち、該ストッパー２１表面と断面の垂直方向）における耐力は、各ストッパー２１は二個の異なる傾斜方向の片体を含むため、該ストッパー２１は二倍に相当する縦方向強度を具える。
【００１３】
該盗難防止リング１５と該ボトル口１２が結合すると、該ストッパー２１と該ボトル口１２位置のガード縁２５は角度を呈しながら抵触し固定される。該ストッパー２１の二個の片体はそれぞれ異なる角度で、該ガード縁２５と交差し抵触する。このように、各ストッパー２１のすべての片体部分は該ガード縁２５内に深く入る。この種の交差し深く入る組合せ関係は、該ストッパー２１と該ガード縁２５の結合強度を効果的に高める。しかも、該ストッパー２１間は一体の連続状ではないため、一旦、あるストッパー２１が変形しても、該連結橋２６の変形を引起すだけで、他のストッパー２１には影響しない。同時に、該連結橋２６は該ガード縁２５と係合する必要はないため、蓋と口の密封関係には全く影響しない。
【００１４】
図６、７、８が示すように、本考案の別種の実施例では、前記同様に本体１４に盗難防止リング１５を組合せ構成する。ストッパー２１の形状は図に示す通り逆くの字状で、湾折部２２は該盗難防止リング１５の内壁面に向かっており、前記同様の効果を達成することができる。
【図面の簡単な説明】
【００１５】
【図１】本考案の容器蓋とボトル結合の構造を示した断面図。
【図２】本考案の蓋構造の断面斜視図。
【図３】本考案の蓋構造の断面図。
【図４】本考案の蓋構造の断面図。
【図５】本考案の盗難防止リングとボトルを組合せた平面図。
【図６】本考案の蓋構造の断面斜視図。
【図７】本考案の蓋構造の断面図。
【図８】図７の４−４矢視図。
【符号の説明】
【００１６】
１１・・ボトル
１２・・ボトル口
１３・・容器蓋
１４・・本体
１５・・盗難防止リング
１６・・封鎖面
１７・・ネジ刻み
１８・・ネジ刻み
１９・・内周面
２１・・ストッパー
２２・・湾折部
２３・・切断間隙
２４・・連接柱
２５・・ガード縁
２６・・連結橋
【図１】
0003100342.tif 000003
【図２】
0003100342.tif 000004
【図３】
0003100342.tif 000005
【図４】
0003100342.tif 000006
【図５】
0003100342.tif 000007
【図６】
0003100342.tif 000008
【図７】
0003100342.tif 000009
【図８】
0003100342.tif 000010